(57)【要約】【課題】ユーザの利便性を損なうことなく待機電力の発生を解消することができる電力供給制御装置、電気機器、電力供給制御システムを提供する。【解決手段】電力供給制御システム１０００は、電気機器Ａ２００への電力供給を開始または停止するための開閉部Ａ１０４と、電気機器Ａ２００から送信される電力供給制御情報を受信する通信部１１８と、通信部１１８が受信した電力供給制御情報に基づいて、開閉部Ａ２００を制御する制御部１１０とを備える電力供給制御装置１００と、電力供給制御装置１００からの電力供給を受ける電力受電部２０２と、ユーザにより電気機器Ａ２００の電源がオフにされた際に、電力供給制御情報を生成する制御部２０８と、制御部２０８が生成した電力供給制御情報を電力供給制御装置１００に送信する通信部２１０とを備える電気機器Ａ２００とを備える。【選択図】図１
2012080626.tif 000002
【特許請求の範囲】
【請求項１】
電気機器への電力供給を開始または停止するための開閉部と、
前記電気機器から送信される電力供給制御情報を受信する受信部と、
前記受信部が受信した前記電力供給制御情報に基づいて、前記開閉部を制御する制御部と、
を備える、電力供給制御装置。
【請求項２】
前記制御部は、前記受信部が前記電力供給制御情報を受信した際に、前記電力供給制御情報に含まれる前記開閉部の開閉部情報に基づいて、前記電気機器への電力供給を停止させるように前記開閉部を制御する電力供給制御部を備える、請求項１に記載の電力供給制御装置。
【請求項３】
前記電力供給制御部は、前記受信部が受信した前記電力供給制御情報に含まれる前記電子機器の電力供給開始時刻情報と、現在時刻情報とに基づいて、現在時刻が電力供給開始時刻以降の時刻であるときは、前記電気機器への電力供給を開始させるように前記開閉部を制御する、請求項２に記載の電力供給制御装置。
【請求項４】
ユーザによる前記電気機器への電力供給開始要求を検出する検出部をさらに備え、
前記電力供給制御部は、前記検出部による検出の結果、ユーザによる前記電気機器への電力供給開始要求があるときは、前記電気機器への電力供給を開始させるように前記開閉部を制御する、請求項３に記載の電力供給制御装置。
【請求項５】
電力供給制御装置からの電力供給を受ける受電部と、
ユーザにより電気機器の電源がオフにされた際に、電力供給制御情報を生成する制御部と、
前記制御部が生成した前記電力供給制御情報を前記電力供給制御装置に送信する送信部と、
を備える、電気機器。
【請求項６】
ユーザによる前記電気機器が接続された前記電力供給制御装置の開閉部の指定を受け付ける開閉部指定受付部と、
ユーザによる前記電気機器が所定の動作を実行するタイマ時刻の設定を受け付けるタイマ時刻設定受付部とをさらに備え、
前記制御部は、前記開閉部指定受付部が受け付けた前記指定された開閉部の情報としての開閉部情報と、前記タイマ時刻設定受付部が受け付けた前記設定されたタイマ時刻の情報としてのタイマ時刻情報とに基づいて、前記電力供給制御情報を生成する生成部を備える、請求項５に記載の電気機器。
【請求項７】
前記制御部は、前記タイマ時刻情報と、前記電気機器が電力を供給されてから待機状態になるまでに必要な時間の時間情報とに基づいて、前記電気機器がタイマ時刻に待機状態になるための前記電気機器の電力供給開始時刻を算出する算出部をさらに備え、
前記生成部は、前記開閉部情報と、前記算出部により算出された前記電力供給開始時刻の情報としての電力供給開始時刻情報とに基づいて、前記電力供給制御情報を生成する、請求項６に記載の電気機器。
【請求項８】
電気機器への電力供給を開始または停止するための開閉部と、
前記電気機器から送信される電力供給制御情報を受信する受信部と、
前記受信部が受信した前記電力供給制御情報に基づいて、前記開閉部を制御する第１の制御部と、
を備える、電力供給制御装置と、
前記電力供給制御装置からの電力供給を受ける受電部と、
ユーザにより電気機器の電源がオフにされた際に、前記電力供給制御情報を生成する第２の制御部と、
前記第２の制御部が生成した前記電力供給制御情報を前記電力供給制御装置に送信する送信部と、
を備える、電気機器と、
を備える、電力供給制御システム。
【請求項９】
電気機器にてユーザにより前記電気機器の電源がオフにされた際に、前記電力供給制御情報を生成する制御ステップと、
前記電気機器にて前記制御ステップで生成した前記電力供給制御情報を電力供給制御装置に送信する送信ステップと、
前記電力供給制御装置にて前記電気機器から送信される前記電力供給制御情報を受信する受信ステップと、
前記電力供給制御装置にて前記受信ステップで受信した前記電力供給制御情報に基づいて、前記電気機器への電力供給を開始または停止するための開閉部を制御する制御ステップと、
前記電気機器にて前記電力供給制御装置からの電力供給を受ける受電ステップと、
を有する、電力供給制御方法。
【請求項１０】
電力供給制御装置を、
電気機器への電力供給を開始または停止するための開閉部と、
前記電気機器から送信される電力供給制御情報を受信する受信部と、
前記受信部が受信した前記電力供給制御情報に基づいて、前記開閉部を制御する第１の制御部と、
として機能させ、
電気機器を、
前記電力供給制御装置からの電力供給を受ける受電部と、
ユーザにより前記電気機器の電源がオフにされた際に、前記電力供給制御情報を生成する第２の制御部と、
前記第２の制御部が生成した前記電力供給制御情報を前記電力供給制御装置に送信する送信部と、
として機能させるための、プログラム。
【請求項１１】
電気機器への電力供給を開始または停止するための開閉部と、
前記開閉部を制御する第１の制御部と、
電力供給管理装置から送信される前記開閉部を制御するための制御信号を受信する第１の受信部と、
を備える、開閉部制御装置と、
前記電気機器から送信される電力供給制御情報を受信する第２の受信部と、
前記第２の受信部が受信した前記電力供給制御情報に基づいて、前記開閉部を制御するための制御信号を生成する第２の制御部と、
前記第２の制御部が生成した前記制御信号を前記開閉部制御装置に送信する第１の送信部と、
を備える、電力供給管理装置と、
前記開閉部制御装置からの電力供給を受ける受電部と、
ユーザにより前記電気機器の電源がオフにされた際に、前記電力供給制御情報を生成する第３の制御部と、
前記第３の制御部が生成した前記電力供給制御情報を前記電力供給管理装置に送信する第２の送信部と、
を備える、電気機器と、
を備える、電力供給制御システム。
【発明の詳細な説明】
【技術分野】
【０００１】
本発明は、電力供給制御装置、電気機器、電力供給制御システム、電力供給制御方法およびプログラムに関する。
【背景技術】
【０００２】
近年、エコブームの高まりとともに、電気機器の省電力化が進み、電気機器の待機時の消費電力（以下、「待機電力」という。）も電気機器単体で見れば小さくなってきている。
【０００３】
一方、様々な電気機器の普及に伴い、テレビやビデオなどの、タイマ動作などのために待機電力を必要とする電気機器が増えてきている。このため、電気機器単体では待機電力が小さくても、全ての電気機器の待機電力を合算すると、かなりの電力を消費することになる。
【０００４】
このような中、各電気機器への電力供給をホームサーバで集中管理し、電気機器を使用しない場合は、完全に電力供給を停止することで、待機電力の発生を解消する技術が提案されている（例えば、特許文献１参照。）。
【先行技術文献】
【特許文献】
【０００５】
【特許文献１】特開２００３−１１０４７１号公報
【発明の概要】
【発明が解決しようとする課題】
【０００６】
しかしながら、上述した従来の技術では、電気機器を使用するか否かをユーザが判断してそれら電気機器への電力供給を制御するホームサーバを制御する必要がある。
【０００７】
このため、タイマ機能を有する電気機器において、タイマが設定されている場合においても、当該電気機器を使用するか否かをユーザが判断する必要があり、ユーザの利便性が損なわれるという問題がある。
【０００８】
例えば、従来の技術では、ユーザは、ある電気機器はタイマが設定されているから当該電気機器への電力供給を停止してはいけない旨や、ある電気機器はタイマが設定されていないから当該電気機器への電力供給を停止してもいい旨を判断してホームサーバを制御する必要があった。
【０００９】
そこで、本発明は、上記問題に鑑みてなされたものであり、本発明の目的とするところは、ユーザの利便性を損なうことなく待機電力の発生を解消することが可能な、新規かつ改良された電力供給制御装置、電気機器、電力供給制御システム、電力供給制御方法およびプログラムを提供することにある。
【課題を解決するための手段】
【００１０】
上記課題を解決するために、本発明のある観点によれば、電気機器への電力供給を開始または停止するための開閉部と、前記電気機器から送信される電力供給制御情報を受信する受信部と、前記受信部が受信した前記電力供給制御情報に基づいて、前記開閉部を制御する制御部と、を備える、電力供給制御装置が提供される。
【００１１】
前記制御部は、前記受信部が前記電力供給制御情報を受信した際に、前記電力供給制御情報に含まれる前記開閉部の開閉部情報に基づいて、前記電気機器への電力供給を停止させるように前記開閉部を制御する電力供給制御部を備えてもよい。
【００１２】
前記電力供給制御部は、前記受信部が受信した前記電力供給制御情報に含まれる前記電子機器の電力供給開始時刻情報と、現在時刻情報とに基づいて、現在時刻が電力供給開始時刻以降の時刻であるときは、前記電気機器への電力供給を開始させるように前記開閉部を制御してもよい。
【００１３】
ユーザによる前記電気機器への電力供給開始要求を検出する検出部をさらに備え、前記電力供給制御部は、前記検出部による検出の結果、ユーザによる前記電気機器への電力供給開始要求があるときは、前記電気機器への電力供給を開始させるように前記開閉部を制御してもよい。
【００１４】
また、上記課題を解決するために、本発明の別の観点によれば、電力供給制御装置からの電力供給を受ける受電部と、ユーザにより電気機器の電源がオフにされた際に、電力供給制御情報を生成する制御部と、前記制御部が生成した前記電力供給制御情報を前記電力供給制御装置に送信する送信部と、を備える、電気機器が提供される。
【００１５】
ユーザによる前記電気機器が接続された前記電力供給制御装置の開閉部の指定を受け付ける開閉部指定受付部と、ユーザによる前記電気機器が所定の動作を実行するタイマ時刻の設定を受け付けるタイマ時刻設定受付部とをさらに備え、前記制御部は、前記開閉部指定受付部が受け付けた前記指定された開閉部の情報としての開閉部情報と、前記タイマ時刻設定受付部が受け付けた前記設定されたタイマ時刻の情報としてのタイマ時刻情報とに基づいて、前記電力供給制御情報を生成する生成部を備えてもよい。
【００１６】
前記制御部は、前記タイマ時刻情報と、前記電気機器が電力を供給されてから待機状態になるまでに必要な時間の時間情報とに基づいて、前記電気機器がタイマ時刻に待機状態になるための前記電気機器の電力供給開始時刻を算出する算出部をさらに備え、前記生成部は、前記開閉部情報と、前記算出部により算出された前記電力供給開始時刻の情報としての電力供給開始時刻情報とに基づいて、前記電力供給制御情報を生成してもよい。
【００１７】
また、上記課題を解決するために、本発明の別の観点によれば、電気機器への電力供給を開始または停止するための開閉部と、前記電気機器から送信される電力供給制御情報を受信する受信部と、前記受信部が受信した前記電力供給制御情報に基づいて、前記開閉部を制御する第１の制御部と、を備える、電力供給制御装置と、前記電力供給制御装置からの電力供給を受ける受電部と、ユーザにより電気機器の電源がオフにされた際に、前記電力供給制御情報を生成する第２の制御部と、前記第２の制御部が生成した前記電力供給制御情報を前記電力供給制御装置に送信する送信部と、を備える、電気機器と、を備える、電力供給制御システムが提供される。
【００１８】
また、上記課題を解決するために、本発明の別の観点によれば、電気機器にてユーザにより前記電気機器の電源がオフにされた際に、前記電力供給制御情報を生成する制御ステップと、前記電気機器にて前記制御ステップで生成した前記電力供給制御情報を電力供給制御装置に送信する送信ステップと、前記電力供給制御装置にて前記電気機器から送信される前記電力供給制御情報を受信する受信ステップと、前記電力供給制御装置にて前記受信ステップで受信した前記電力供給制御情報に基づいて、前記電気機器への電力供給を開始または停止するための開閉部を制御する制御ステップと、前記電気機器にて前記電力供給制御装置からの電力供給を受ける受電ステップと、を有する、電力供給制御方法が提供される。
【００１９】
また、上記課題を解決するために、本発明の別の観点によれば、電力供給制御装置を、電気機器への電力供給を開始または停止するための開閉部と、前記電気機器から送信される電力供給制御情報を受信する受信部と、前記受信部が受信した前記電力供給制御情報に基づいて、前記開閉部を制御する第１の制御部と、として機能させ、電気機器を、前記電力供給制御装置からの電力供給を受ける受電部と、ユーザにより前記電気機器の電源がオフにされた際に、前記電力供給制御情報を生成する第２の制御部と、前記第２の制御部が生成した前記電力供給制御情報を前記電力供給制御装置に送信する送信部と、として機能させるための、プログラムが提供される。
【００２０】
また、上記課題を解決するために、本発明の別の観点によれば、電気機器への電力供給を開始または停止するための開閉部と、前記開閉部を制御する第１の制御部と、電力供給管理装置から送信される前記開閉部を制御するための制御信号を受信する第１の受信部と、を備える、開閉部制御装置と、前記電気機器から送信される電力供給制御情報を受信する第２の受信部と、前記第２の受信部が受信した前記電力供給制御情報に基づいて、前記開閉部を制御するための制御信号を生成する第２の制御部と、前記第２の制御部が生成した前記制御信号を前記開閉部制御装置に送信する第１の送信部と、を備える、電力供給管理装置と、前記開閉部制御装置からの電力供給を受ける受電部と、ユーザにより前記電気機器の電源がオフにされた際に、前記電力供給制御情報を生成する第３の制御部と、前記第３の制御部が生成した前記電力供給制御情報を前記電力供給管理装置に送信する第２の送信部と、を備える、電気機器と、を備える、電力供給制御システムが提供される。
【発明の効果】
【００２１】
以上説明したように本発明によれば、ユーザの利便性を損なうことなく待機電力の発生を解消することができる。
【図面の簡単な説明】
【００２２】
【図１】本発明の第１の実施の形態に係る電力供給制御システムの構成を示すブロック図である。
【図２】図１における電力供給制御装置の制御部の機能構成を示すブロック図である。
【図３】図１における電気機器Ａの制御部の機能構成を示すブロック図である。
【図４】図１における電力供給制御装置が実行する電力供給停止処理のフローチャートである。
【図５】図１における電力供給制御装置が実行する電力供給開始処理のフローチャートである。
【図６】図１における電気機器Ａが実行する電力供給制御情報送信処理のフローチャートである。
【図７】電力供給制御情報記憶部に書き込まれた電力供給制御情報のテーブルの一例を説明するための説明図である。
【図８】電力供給開始要求検出部の一例を説明するための説明図である。
【図９】電力供給制御情報の一例を説明するための説明図である。
【図１０】図１における電気機器Ａにおいて実行される、ユーザによる開閉部指定およびタイマ時刻設定について説明するための説明図である。
【図１１】図１における電気機器Ａにおいて実行される、ユーザによる開閉部指定およびタイマ時刻設定について説明するための説明図である。
【図１２】図１における電気機器Ａにおいて実行される、ユーザによる開閉部指定およびタイマ時刻設定について説明するための説明図である。
【図１３】図１における電気機器Ａにおいて実行される、ユーザによる開閉部指定およびタイマ時刻設定について説明するための説明図である。
【図１４】本発明の第２の実施の形態に係る電力供給制御システムの構成を示すブロック図である。
【発明を実施するための形態】
【００２３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２４】
なお、説明は以下の順序で行うものとする。
１．電力供給制御システム（第１の実施の形態）
２．電力供給停止処理
３．電力供給開始処理
４．電力供給制御情報送信処理
５．ユーザによる開閉部指定およびタイマ時刻設定
６．電力供給制御システム（第２の実施の形態）
【００２５】
［１．電力供給制御システム（第１の実施の形態）］
まず、本発明の第１の実施の形態に係る電力供給制御システムについて説明する。図１は、本実施の形態に係る電力供給制御システムの構成を示すブロック図である。
【００２６】
図１において、電力供給制御システム１０００は、電力供給制御装置１００と、電気機器Ａ２００と、電気機器Ｂ３００と、電気機器Ｃ４００と、電源部５００とを備える。本実施の形態では、電力供給制御装置１００が、３つの電気機器（電気機器Ａ２００、電気機器Ｂ３００および電気機器Ｃ４００）の電力供給制御を行うが、電力供給制御装置１００が制御する電気機器の数は３つに限られない。
【００２７】
電力供給制御装置１００は、電源部５００、電気機器Ａ２００、電気機器Ｂ３００および電気機器Ｃ４００とそれぞれ接続している。電力供給制御装置１００は、電源部５００から供給された電力を例えば電気機器Ａ２００に供給するか否かを制御する。電力供給制御装置１００は、電源接続部１０２と、開閉部Ａ１０４と、開閉部Ｂ１０６と、開閉部Ｃ１０８と、制御部１１０と、時計部１１２と、電力供給制御情報記憶部１１４と、電力供給開始要求検出部１１６と、通信部１１８とを備える。
【００２８】
電源接続部１０２は、電源部５００と接続することができる。電源接続部１０２は、例えば電源装置、または壁などに設けられたコンセントと接続するコネクタである。開閉部Ａ１０４は、電気機器Ａ２００と接続し、電気機器Ａ２００への電力供給を制御することができる。開閉部Ｂ１０６は、電気機器Ｂ３００と接続し、電気機器Ｂ３００への電力供給を制御することができる。開閉部Ｃ１０８は、電気機器Ｃ４００と接続し、電気機器Ｃ４００への電力供給を制御することができる。
【００２９】
制御部１１０は、電力供給制御装置１００の各部の制御を行うことができる。時計部１１２は、現在時刻情報を制御部１１０に供給することができる。
【００３０】
電力供給制御情報記憶部１１４は、電力供給制御装置１００が受信した後述する電力供給制御情報を記憶することができる。電力供給開始要求検出部１１６は、本発明の検出部の一例であり、ユーザによる例えば電気機器Ａ２００への電力供給開始要求を検出することができる。通信部１１８は、本発明の受信部の一例であり、例えば電気機器Ａ２００から送信された電力供給制御情報を受信することができる。
【００３１】
電気機器Ａ２００は、電力受電部２０２と、時計用内蔵電池部２０４と、時計部２０６と、制御部２０８と、通信部２１０と、ユーザ入力部２１２と、記憶部２１４とを備える。
【００３２】
電力受電部２０２は、本発明の受電部の一例であり、開閉部Ａ１０４と接続し、開閉部Ａ１０４から電力供給を受けて、電気機器Ａ２００の各部に電力の配電を行うことができる。時計用内蔵電池部２０４は、時計部２０６が現在時刻を保持できるように時計部２０６に電力を供給することができる。
【００３３】
時計部２０６は、現在時刻情報を制御部２０８に供給することができる。制御部２０８は、電気機器Ａ２００の各部の制御を行うことができる。通信部２１０は、本発明の送信部の一例であり、例えば電力供給制御装置１００に電力供給制御情報を送信することができる。
【００３４】
ユーザ入力部２１２は、本発明の開閉部指定受付部、タイマ時刻設定受付部の一例であり、ユーザが電気機器Ａ２００が接続された電力供給制御装置１００の開閉部Ａ１０４を指定するためのものであり、タイマ時刻を設定するためのものである。記憶部２１４は、ユーザ入力部２１２により指定された開閉部の情報としての開閉部情報と、ユーザ入力部２１２により設定されたタイマ時刻の情報としてのタイマ時刻情報とを記憶することができる。
【００３５】
電気機器Ｂ３００および電気機器Ｃ４００は、電気機器Ａ２００と同様の構成を有する。電源部５００は、電力を供給することができる。電源部５００は、例えば電源装置、または壁などに設けられたコンセントである。
【００３６】
電源部５００と電源接続部１０２とは、電源ケーブルで接続される。また、開閉部Ａと電力受電部２０２とは、電源ケーブルで接続される。通信部１１８と通信部２１０とは、例えば家庭でも普及しているＬＡＮ（Ｌｏｃａｌ  Ａｒｅａ  Ｎｅｔｗｏｒｋ）などで接続すればよい。その場合、通信部１１８と通信部２１０とは、イーサネット（登録商標）のインタフェースを用いればよい。
【００３７】
次に、図１における電力供給制御装置１００の制御部１１０の機能構成について説明する。図２は、図１における電力供給制御装置１００の制御部１１０の機能構成を示すブロック図である。
【００３８】
図２において、制御部１１０は、受信部１３０と、記憶制御部１３２と、電力供給制御部１３４と、時刻比較部１３６とを備える。
【００３９】
受信部１３０は、通信部１１８が受信した電力供給制御情報を受信する。また、受信部１３０は、電力供給開始要求検出部１１６による検出結果を受信する。
【００４０】
記憶制御部１３２は、受信部１３０が受信した電力供給制御情報を電力供給制御情報記憶部１１４に書き込む。また、記憶制御部１３２は、電力供給制御情報記憶部１１４から電力供給制御情報を読み出す。
【００４１】
電力供給制御部１３４は、受信部１３０が電力供給制御情報を受信した際に、例えば開閉部Ａ１０４に電力供給を停止させるための制御信号を送信する。また、電力供給制御部１３４は、受信部１３０が受信した電力供給開始要求検出部１１６による検出結果に基づいて、例えばユーザによる電気機器Ａ２００への電力供給開始要求があるときは、開閉部Ａ１０４に電力供給を開始させるための制御信号を送信する。また、電力供給制御部１３４は、後述する時刻比較部１３６による比較の結果、現在時刻が電力供給開始時刻以降の時刻であるときは、例えば開閉部Ａ１０４に電力供給を開始させるための制御信号を送信する。
【００４２】
時刻比較部１３６は、記憶制御部１３２が読み出した電力供給制御情報に含まれる電力供給開始時刻情報と、時計部１１２から供給される現在時刻情報とに基づいて、現在時刻と電力供給開始時刻との比較を行う。
【００４３】
次に、図１における電気機器Ａ２００の制御部２０８の機能構成について説明する。図３は、図１における電気機器Ａ２００の制御部２０８の機能構成を示すブロック図である。
【００４４】
図３において、制御部２０８は、受信部２３０と、記憶制御部２３２と、電力供給開始時刻算出部２３４と、電力供給制御情報生成部２３６と、送信部２３８とを備える。
【００４５】
受信部２３０は、ユーザによりユーザ入力部２１２を介して入力された開閉部情報やタイマ時刻情報を受信する。
【００４６】
記憶制御部２３２は、受信部２３０が受信した開閉部情報とタイマ時刻情報とを含むタイマ設定情報を記憶部２１４に記憶させる。また、記憶制御部２３２は、ユーザにより電気機器Ａ２００の電源がオフにされると、記憶部２１４から直近のタイマ設定情報を読み出す。
【００４７】
電力供給開始時刻算出部２３４は、本発明の算出部の一例であり、記憶制御部２３２が読み出したタイマ設定情報に含まれるタイマ時刻情報と、電気機器Ａ２００が電力を供給されてから待機状態になるまでに必要な時間の時間情報とに基づいて、電気機器Ａ２００がタイマ時刻に待機状態になるための電力供給開始時刻を算出する。
【００４８】
電力供給制御情報生成部２３６は、本発明の生成部の一例であり、記憶制御部２３２が読み出したタイマ設定情報に含まれる開閉部情報と、電力供給開始時刻算出部２３４が算出した電力供給開始時刻の情報としての電力供給開始時刻情報とを含む電力供給制御情報を生成する。
【００４９】
送信部２３８は、電力供給制御情報生成部２３６が生成した電力供給制御情報を電力供給制御装置１００に送信する。
【００５０】
［２．電力供給停止処理］
次に、図１における電力供給制御装置１００が実行する電力供給停止処理について説明する。図４は、図１における電力供給制御装置１００が実行する電力供給停止処理のフローチャートである。
【００５１】
図４において、まず、電力供給制御装置１００の通信部１１８は、電気機器Ａ２００から電力供給制御情報を受信する（ステップＳ１００）。電力供給制御情報は、開閉部情報と、電力供給開始時刻情報とを含む。
【００５２】
次いで、電力供給制御装置１００の制御部１１０は、ステップＳ１００で通信部１１８が受信した電力供給制御情報を電力供給制御情報記憶部１１４に書き込む（ステップＳ１０２）。図７は、電力供給制御情報記憶部１１４に書き込まれた電力供給制御情報のテーブルの一例を説明するための説明図である。図７に示すように、電力供給制御情報のテーブルには、開閉部情報７００と、電力供給開始時刻情報７０２とが書き込まれている。図７では、開閉部Ａ１０４に対する電力供給開始時刻は、２０１０年３月２５日２０時１５分となっており、現在時刻が２０１０年３月２５日２０時１５分になったときに、後述するように開閉部Ａ１０４に接続されている電気機器Ａ２００への電力供給が開始されるようになる。
【００５３】
次いで、制御部１１０は、開閉部Ａ１０４に電力供給を停止させるための制御信号を送信して、開閉部Ａ１０４は、電気機器Ａ２００への電力供給を停止して（ステップＳ１０４）、本処理を終了する。
【００５４】
図４の電力供給停止処理によれば、電気機器Ａ２００が電力供給制御情報を電力供給制御装置１００に送信することにより、電気機器Ａ２００への電力供給が停止されるので、ユーザの利便性を損なうことなく待機電力の発生を解消することができる。
【００５５】
［３．電力供給開始処理］
次に、図１における電力供給制御装置１００が実行する電力供給開始処理について説明する。図５は、図１における電力供給制御装置１００が実行する電力供給開始処理のフローチャートである。
【００５６】
図５において、まず、電力供給制御装置１００の制御部１１０は、電力供給開始要求検出部１１６による検出結果に基づいて、ユーザによる電気機器Ａ２００への電力供給開始要求があるか否かを判別する（ステップＳ２００）。図８は、電力供給開始要求検出部１１６の一例を説明するための説明図である。図８に示すように、電力供給開始要求検出部１１６としての電力供給開始要求検出部８００は、開閉部Ａ１０４を示すボタン８０２と、開閉部Ｂ１０６を示すボタン８０４と、開閉部Ｃ１０８を示すボタン８０６とを含む。図８では、例えばユーザによりボタン８０２が押されると、後述するように開閉部Ａ１０４に接続されている電気機器Ａ２００への電力供給が開始されるようになる。
【００５７】
ステップＳ２００の判別の結果、ユーザによる電気機器Ａ２００への電力供給開始要求がないときは（ステップＳ２００でＮＯ）、制御部１１０は、電力供給制御情報記憶部１１４から電力供給制御情報を読み出す（ステップＳ２０２）。
【００５８】
次いで、制御部１１０は、ステップＳ２０２で読み出した電力供給制御情報に含まれる電力供給開始時刻情報と、時計部１１２から供給される現在時刻情報とに基づいて、現在時刻が電力供給開始時刻以降の時刻であるか否かを判別する（ステップＳ２０４）。
【００５９】
ステップＳ２０４の判別の結果、現在時刻が電力供給開始時刻以降の時刻でないとき、すなわち現在時刻が電力供給開始時刻よりも前の時刻であるときは（ステップＳ２０４でＮＯ）、ステップＳ２００の処理に戻る。
【００６０】
ステップＳ２００の判別の結果、ユーザによる電気機器Ａ２００への電力供給開始要求があるとき（ステップＳ２００でＹＥＳ）、またはステップＳ２０４の判別の結果、現在時刻が電力供給開始時刻以降の時刻であるときは（ステップＳ２０４でＹＥＳ）、制御部１１０は、開閉部Ａ１０４に電力供給を開始させるための制御信号を送信して、開閉部Ａ１０４は、電気機器Ａ２００への電力供給を開始して（ステップＳ２０６）、本処理を終了する。
【００６１】
図５の電力供給開始処理によれば、ユーザによる電気機器Ａ２００への電力供給開始要求があるとき、または現在時刻が電力供給開始時刻以降の時刻であるときに、電気機器Ａ２００への電力供給が開始されるので、ユーザの利便性を損なうことなく待機電力の発生を解消することができる。
【００６２】
なお、電気機器Ａ２００は、電力供給が開始されると、記憶部２１４からタイマ時刻情報を読み出し、読み出したタイマ時刻情報と、時計部２０６から供給される現在時刻情報とに基づいて、現在時刻がタイマ時刻になったときに、所定の動作を開始するようになる。
【００６３】
なお、ステップＳ２０２では、制御部１１０は、電力供給制御情報記憶部１１４から電力供給制御情報を読み出していたが、電力供給制御情報記憶部１１４から電力供給制御情報に含まれる電力供給開始時刻情報のみを読み出すようにしてもよい。
【００６４】
［４．電力供給制御情報送信処理］
次に、図１における電気機器Ａ２００が実行する電力供給制御情報送信処理について説明する。図６は、図１における電気機器Ａ２００が実行する電力供給制御情報送信処理のフローチャートである。
【００６５】
図６において、まず、ユーザにより電気機器Ａ２００の電源がオフにされると（ステップＳ３００）、電気機器Ａ２００の制御部２０８は、記憶部２１４から直近のタイマ設定情報を読み出す（ステップＳ３０２）。
【００６６】
次いで、制御部２０８は、ステップＳ３０２で読み出したタイマ設定情報に含まれるタイマ時刻情報と、電気機器Ａ２００が電力を供給されてから待機状態になるまでに必要な時間の時間情報とに基づいて、電気機器Ａ２００がタイマ時刻に待機状態になるための電力供給開始時刻を算出する（ステップＳ３０４）。例えば、制御部２０８は、タイマ時刻よりも電気機器Ａ２００が電力を供給されてから待機状態になるまでに必要な時間だけ前の時刻を電力供給開始時刻とする。例えば、制御部２０８は、タイマ時刻が２０１０年３月２５日２０時１８分であり、電気機器Ａ２００が電力を供給されてから待機状態になるまでに必要な時間が３分であるときは、電力供給開始時刻として２０１０年３月２５日２０時１５分を算出する。
【００６７】
次いで、制御部２０８は、ステップＳ３０２で読み出したタイマ設定情報に含まれる開閉部情報と、ステップＳ３０４で算出された電力供給開始時刻の情報としての電力供給開始時刻情報とを含む電力供給制御情報を生成する（ステップＳ３０６）。図９は、電力供給制御情報の一例を説明するための説明図である。図９に示すように、電力供給制御情報９００は、開閉部情報９０２と、電力供給開始時刻情報９０４とを含む。図９では、現在時刻が２０１０年３月２５日２０時１５分になったときに、上述したように開閉部Ａ１０４に接続されている電気機器Ａ２００への電力供給が開始されるようになる。
【００６８】
次いで、電気機器Ａ２００の通信部２１０は、ステップＳ３０６で制御部２０８が生成した電力供給制御情報を電力供給制御装置１００に送信して（ステップＳ３０８）、本処理を終了する。
【００６９】
図６の電力供給制御情報送信処理によれば、ユーザにより電気機器Ａ２００の電源がオフにされると、電力供給制御情報が電力供給制御装置１００に送信される。上述したように、電力供給制御装置１００に電力供給制御情報が送信されると、電気機器Ａ２００への電力供給が停止されるので、ユーザの利便性を損なうことなく待機電力の発生を解消することができる。
【００７０】
なお、ステップＳ３０６では、開閉部情報と、電力供給開始時刻情報とを含む電力供給制御情報を生成していたが、例えば電気機器Ａ２００が電力を供給されるとすぐに待機状態になるときは、開閉部情報と、タイマ時刻情報とを含む電力供給制御情報を生成してもよい。
【００７１】
［５．ユーザによる開閉部指定およびタイマ時刻設定］
次に、図１における電気機器Ａ２００において実行される、ユーザによる開閉部指定およびタイマ時刻設定について説明する。図１０〜図１３は、図１における電気機器Ａ２００において実行される、ユーザによる開閉部指定およびタイマ時刻設定について説明するための説明図である。
【００７２】
図１０において、ユーザ入力部２１２としてのユーザ入力部６００は、ユーザに情報を表示する表示部６０２と、ユーザが情報を入力するためのボタン６０８，６１０，６１２，６１４，６１６，６１８，６２０，６２２，６２４，６２６，６２８，６３０と、ユーザが途中まで入力した情報を消去するためのボタン６３２と、ユーザが入力した情報を確定するためのボタン６３４とを備える。
【００７３】
図１０では、表示部６０２には、ユーザが入力することができる情報として、電気機器Ａ２００が接続されている開閉部Ａ１０４を指定するための「１．開閉部指定」６０４と、電気機器Ａ２００が所定の動作を実行するタイマ時刻を設定するための「２．タイマ時刻設定」６０６とが表示されている。図１０では、ボタン６０８を押せば、開閉部指定を行えるようになり、ボタン６１０を押せば、タイマ時刻設定を行えるようになる。
【００７４】
図１０において、ユーザが開閉部を指定するためにボタン６０８が押されると、図１１に示すように、表示部６０２に表示される情報が変更される。
【００７５】
図１１では、表示部６０２には、開閉部の指定を促す表示や、ユーザが開閉部Ａ１０４を指定するための「１．開閉部Ａ」６３６などが表示されている。図１１では、ボタン６０８を押せば、開閉部Ａを指定することができるようになる。
【００７６】
図１１において、ユーザが開閉部Ａを指定するためにボタン６０８が押されると、制御部２０８は、ユーザにより指定された開閉部Ａの情報としての開閉部情報を記憶部２１４に記憶させる。そして、表示部６０２に表示される情報は、図１０に示す情報に戻る。
【００７７】
図１０において、ユーザがタイマ時刻を設定するためにボタン６１０が押されると、図１２に示すように、表示部６０２に表示される情報が変更される。
【００７８】
図１２では、表示部６０２には、タイマ時刻の入力を促す表示が表示されている。図１２では、ボタン６０８，６１０，６１２，６１４，６１６，６１８，６２０，６２２，６２４，６２６，６２８，６３０を押せば、日時を入力することができるようになる。
【００７９】
図１３は、ユーザによりタイマ時刻として２０１０年３月２５日２０時１８分が入力された場合を説明するための説明図である。図１３では、表示部６０２には、タイマ時刻の入力を促す表示や、入力されたタイマ時刻としての「２０１０年３月２５日２０時１８分」６３８が表示されている。図１３では、ユーザが入力を間違えたなどで入力した情報を消去したいときは、ボタン６３２を押せば、図１２に示す状態に戻ることができる。また、図１３では、ボタン６３４を押せば、入力した情報を確定することができるようになる。
【００８０】
図１３において、ユーザがタイマ時刻を確定するためにボタン６３４が押されると、制御部２０８は、ユーザにより入力されたタイマ時刻の情報としてのタイマ時刻情報を記憶部２１４に記憶させる。そして、表示部６０２に表示される情報は、図１０に示す情報に戻る。
【００８１】
なお、記憶部２１４には、開閉部情報と、タイマ時刻情報とがタイマ設定情報として記憶される。すなわち、タイマ設定情報は、開閉部情報と、タイマ時刻情報とを含み、タイマ設定情報は、タイマ時刻情報が記憶部２１４に記憶されるタイミングで記憶部２１４に記憶される。なお、ユーザは毎回開閉部を指定する必要はなく、一度開閉部を指定すれば、タイマ時刻設定時には以前に指定した開閉部の情報が使用される。
【００８２】
本実施の形態によれば、ユーザは容易に開閉部の指定とタイマ時刻の設定を行うことができるようになる。
【００８３】
［６．電力供給制御システム（第２の実施の形態）］
次に、本発明の第２の実施の形態に係る電力供給制御システムについて説明する。図１４は、本実施の形態に係る電力供給制御システムの構成を示すブロック図である。本実施の形態における電力供給制御システムは、電力供給制御装置１００が開閉部制御装置１４０と電力供給管理装置１８０とに分けられている点が、上述した第１の実施の形態と異なるのみであるので、重複した構成、作用については説明を省略し、以下に異なる構成、作用についての説明を行う。
【００８４】
図１４において、電力供給制御システム２０００は、開閉部制御装置１４０と、電力供給管理装置１８０と、電気機器Ａ２００と、電気機器Ｂ３００と、電気機器Ｃ４００と、電源部５００とを備える。
【００８５】
開閉部制御装置１４０は、電源接続部１０２と、開閉部Ａ１０４と、開閉部Ｂ１０６と、開閉部Ｃ１０８と、通信部１４２と、制御部１４４とを備える。
【００８６】
通信部１４２は、電力供給管理装置１８０から送信された開閉部Ａ１０４に電力供給を停止させるための制御信号や、開閉部Ａ１０４に電力供給を開始させるための制御信号などを受信することができる。制御部１４４は、開閉部制御装置１４０の各部の制御を行うことができる。また、制御部１４４は、通信部１４２が受信した制御信号を開閉部Ａ１０４などに送信することができる。
【００８７】
電力供給管理装置１８０は、制御部１１０と、時計部１１２と、電力供給制御情報記憶部１１４と、電力供給開始要求検出部１１６と、通信部１８２とを備える。
【００８８】
制御部１１０は、電力供給管理装置１８０の各部の制御を行うことができる。通信部１８２は、例えば電気機器Ａ２００から送信された電力供給制御情報を受信することができる。また、通信部１８２は、開閉部Ａ１０４に電力供給を停止させるための制御信号や、開閉部Ａ１０４に電力供給を開始させるための制御信号などを開閉部制御装置１４０に送信することができる。
【００８９】
電気機器Ａ２００の通信部２１０は、例えば電力供給管理装置１８０に電力供給制御情報を送信することができる。
【００９０】
本実施の形態によれば、開閉部制御装置１４０および電力供給管理装置１８０が上述した図４の電力供給停止処理および図５の電力供給開始処理を実行して、電気機器Ａ２００が上述した図６の電力供給制御情報送信処理を実行することにより、上述した第１の実施の形態と同様の効果を奏することができる。
【００９１】
さらに、本実施の形態によれば、例えば、電力供給管理装置１８０の機能を家庭内のホームサーバ（図示しない）に内蔵して、開閉部制御装置１４０として、既存の装置を用いることで電力供給制御システム２０００を実現することができるため、簡易に実施することができるようになる。
【００９２】
また、本発明の各実施の形態は、上述した各実施の形態の機能を実現するソフトウェアのプログラムコードを記憶した記憶媒体を、システムあるいは装置に供給し、そのシステムあるいは装置のコンピュータ（またはＣＰＵやＭＰＵ等）が記憶媒体に格納されたプログラムコードを読み出し実行することによって実現されてもよい。
【００９３】
この場合、記憶媒体から読み出されたプログラムコード自体が上述した各実施の形態の機能を実現することになり、そのプログラムコードおよび該プログラムコードを記憶した記憶媒体は本発明を構成することになる。
【００９４】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【００９５】
また、コンピュータが読み出したプログラムコードを実行することにより、上述した各実施の形態の機能が実現されるだけではなく、そのプログラムコードの指示に基づき、コンピュータ上で稼動しているＯＳ（オペレーティングシステム）等が実際の処理の一部または全部を行い、その処理によって上述した各実施の形態の機能が実現される場合も含まれる。
【００９６】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その拡張機能を拡張ボードや拡張ユニットに備わるＣＰＵ等が実際の処理の一部または全部を行い、その処理によって上述した各実施の形態の機能が実現される場合も含まれる。
【００９７】
以上、添付図面を参照しながら本発明の好適な実施の形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００９８】
１００    電力供給制御装置
１０２    電源接続部
１０４    開閉部Ａ
１０６    開閉部Ｂ
１０８    開閉部Ｃ
１１０    制御部
１１２    時計部
１１４    電力供給制御情報記憶部
１１６    電力供給開始要求検出部
１１８    通信部
１３０    受信部
１３２    記憶制御部
１３４    電力供給制御部
１３６    時刻比較部
２００    電気機器Ａ
２０２    電力受電部
２０４    時計用内蔵電池部
２０６    時計部
２０８    制御部
２１０    通信部
２１２    ユーザ入力部
２１４    記憶部
２３０    受信部
２３２    記憶制御部
２３４    電力供給開始時刻算出部
２３６    電力供給制御情報生成部
２３８    送信部
３００    電気機器Ｂ
４００    電気機器Ｃ
５００    電源部
１０００    電力供給制御システム
【図１】
2012080626.tif 000003
【図２】
2012080626.tif 000004
【図３】
2012080626.tif 000005
【図４】
2012080626.tif 000006
【図５】
2012080626.tif 000007
【図６】
2012080626.tif 000008
【図７】
2012080626.tif 000009
【図８】
2012080626.tif 000010
【図９】
2012080626.tif 000011
【図１０】
2012080626.tif 000012
【図１１】
2012080626.tif 000013
【図１２】
2012080626.tif 000014
【図１３】
2012080626.tif 000015
【図１４】
2012080626.tif 000016